(57)【要約】【課題】柄と刃部が全体的に調和のとれた一体感のある縞模様を有する刃物を提供する。【解決手段】中心部に位置する刃芯鋼板２１の両側面にニッケル層２２、ステンレス鋼層２３を交互に接合して積層したニッケル・ダマスカス鋼板２０を用いて、柄１１と刃部１２を形成し、柄１１と刃部１２の表面にニッケル層２２及びステンレス鋼層２３の切断面によって縞模様を表出する。【選択図】      図７
2007061944.tif 000002
【特許請求の範囲】
【請求項１】
複数の金属層を積層接着して構成された棒状又は厚板状の積層素材の左右両側面を弧状に湾曲するように成形して積層された前記金属層によって縞模様を表出したことを特徴とする柄。  
【請求項２】
複数の金属層を積層接着して構成された棒状又は厚板状の積層素材の左右両側面を弧状に湾曲するように成形して積層された前記金属層によって縞模様を表出した柄の先端部に手動利器を構成する作動部を連結したことを特徴とする手動利器。
【請求項３】
請求項２において、前記手動利器は刃物であって、柄の先端部には刃部が一体又は別体に連結されていることを特徴とする手動利器。
【請求項４】
請求項３において、前記柄及び刃部の積層素材は、刃芯鋼板の左右両側表面に対し、種類の異なる複数の金属層を接合して積層したダマスカス鋼板であって、刃部に積層素材による縞模様を表出したことを特徴とする手動利器。
【発明の詳細な説明】
【技術分野】
【０００１】
本発明は、柄及びそれを用いた手動利器に関する。
【背景技術】
【０００２】
一般に、包丁やナイフの刃部には、外観を向上するために、例えばニッケル・ダマスカス鋼板を用いることによって、表面に縞模様を形成している。この刃部は柄と別体で構成され、最終段階で、柄に刃部を連結するようになっている。
【０００３】
一方、刃物の柄は刃部と別の例えば木材あるいは合成樹脂等の材料によって単体で構成されている。
【発明の開示】
【発明が解決しようとする課題】
【０００４】
従来の刃物は、刃部にダマスカス鋼板特有の縞模様が形成されているので、刃部の外観を向上することができる。しかし、柄は刃部と異なる材料によって形成されているので、通常、刃部のような趣のある縞模様を形成することが難しいという問題があった。
【０００５】
従来の柄として、木目による縞模様を表出したものはあったが、刃部と柄が別の材料によって形成されているので、全体として調和のとれた一体感のある縞模様を有する刃物を製造することができないという問題があった。
【０００６】
本発明の目的は、上記従来の技術に存する問題点を解消して、縞模様の施された趣のある柄を提供することにある。
本発明の別の目的は、柄と作動部が全体的に調和のとれた一体感のある縞模様を有する手動利器を提供することにある。
【課題を解決するための手段】
【０００７】
上記問題点を解決するために、請求項１に記載の発明は、複数の金属層を積層接着して構成された棒状又は厚板状の積層素材の左右両側面を弧状に湾曲するように成形して積層された前記金属層によって縞模様を表出したことを要旨とする。
【０００８】
請求項２に記載の発明は、複数の金属層を積層接着して構成された棒状又は厚板状の積層素材の左右両側面を弧状に湾曲するように成形して積層された前記金属層によって縞模様を表出した柄の先端部に手動利器を構成する作動部を連結したことを要旨とする。
【０００９】
請求項３に記載の発明は、請求項２において、前記手動利器は刃物であって、柄の先端部には刃部が一体又は別体に連結されていることを要旨とする。
請求項４に記載の発明は、請求項３において、前記柄及び刃部の積層素材は、刃芯鋼板の左右両側表面に対し、種類の異なる複数の金属層を接合して積層したダマスカス鋼板であって、刃部に積層素材による縞模様を表出したことを要旨とする。
【発明の効果】
【００１０】
請求項１記載の柄の発明によれば、柄の表面に複数の金属層による縞模様が現れるので、柄の表面を趣のある意匠性に優れた外観とすることができる。
請求項２記載の手動利器の発明によれば、手動利器の柄の表面に複数の金属層による縞模様が現れるので、柄の表面を趣のある意匠性に優れた外観とすることができる。
【００１１】
請求項３記載の手動利器の発明によれば、刃物の柄の表面を趣のある意匠性に優れた外観とすることができる。
請求項４記載の手動利器の発明によれば、柄と刃部に全体的に調和のとれた一体感のある縞模様が現れるので、刃物の表面を趣のある意匠性に優れた外観とすることができる。
【発明を実施するための最良の形態】
【００１２】
以下、本発明を具体化した柄を備えた手動利器としてのナイフの一実施形態を図１〜図７にしたがって説明する。
このナイフは、ニッケル・ダマスカス鋼板よりなる柄１１に対し、同じくニッケル・ダマスカス鋼板よりなる刃部１２が一体に形成されている。前記柄１１と刃部１２の境界部には口金部１３が一体に形成されている。図２に示すように、前記柄１１の前記口金部１３の近傍には幅狭部１４が形成されている。前記柄１１の後端部には、紐等を挿通するための挿通孔１５が水平方向に貫通形成されている。
【００１３】
次に、前記ナイフの製造方法について説明する。
このナイフの素材として、図６に示す鍛造により形成された積層素材としてのニッケル・ダマスカス鋼板２０が用いられる。このニッケル・ダマスカス鋼板２０は、中心部に位置する刃芯鋼板２１と、その左右両側面に対し、ニッケル層２２と、ステンレス鋼層２３を交互に接合して積層させたものである。前記刃芯鋼板２１として、例えばモリブデン鋼をベースに、コバルト・バナジウム・クロームを添加した超硬質合金鋼を用いている。前記ニッケル層２２と鋼層２３は、例えば片側１６層、全体として３２層に重ね合わせた本鍛造ニッケルダマスカス仕上げとなっている。
【００１４】
上記ニッケル・ダマスカス鋼板２０を用いて、図１及び図２に示すナイフを製造するには、図７に示すように、ニッケル・ダマスカス鋼板２０の材料を工作機械により切削して柄１１、刃部１２、口金部１３及び幅狭部１４を形成すればよい。
【００１５】
この切削工程においては、最初に刃部１２となるニッケル・ダマスカス鋼板２０の一部を工作機械のクランプ機構によりクランプした状態で、柄１１となるニッケル・ダマスカス鋼板２０を数値制御される工具によって切削作業を行う。次に、切削された柄１１をクランプ機構によりクランプした状態で、刃部１２となるニッケル・ダマスカス鋼板２０の切削作業を行う。
【００１６】
前記柄１１の中心部は図３に示すように上下両端部が円弧状に切削されているので、柄１１を側方から見た場合に図１に示すようニッケル層２２及びステンレス鋼層２３の切断層による縞模様が表れる。同様に幅狭部１４も図４に示すように上下両端部が円弧状に切削されているので、柄１１を側方から見た場合に図１に示すように縞模様が表れる。さらに、刃部１２は図５に示すように下端ほど幅狭となるテーパ状に形成されているので、図１に示すように縞模様が表れる。
【００１７】
上記実施形態のナイフによれば、以下のような効果を得ることができる。
（１）上記実施形態では、柄１１がニッケル・ダマスカス鋼板２０の左右両側面を弧状に湾曲するように切削成形して積層された前記ニッケル層２２、鋼層２３によって縞模様を表出したので、図１に示すように柄１１の表面に趣のある縞模様を表出することができる。
【００１８】
（２）上記実施形態では、柄１１と刃部１２が同一のニッケル・ダマスカス鋼板２０によって形成されているので、ナイフの製造を容易に行うことができるとともに、柄１１と刃部１２に全体的に調和のとれた一体感のある縞模様を形成することができ、ナイフの意匠性を向上することができる。
【００１９】
なお、上記実施形態は以下のように変更してもよい。
・図８に示すように、柄１１のみを積層構造とし、刃部１２を鋼板２１のみによって形成するようにしてもよい。
【００２０】
・図９に示すように、柄１１の内部の刃芯鋼板２１を省略するとともに、この柄１１の先端部に刃部１２を連結するようにしてもよい。
・前記実施形態では、ナイフについて具体化したが、これ以外の例えば、包丁、スプーン、フォーク、鋏あるいはドライバー等の柄を備えた各種の手動利器に適用してもよい。
【００２１】
・ニッケル・ダマスカス鋼板２０以外に、刃芯鋼板２１を用いないで各種の金属層を接合して積層した棒状又は厚肉板状の積層材料を用いてもよい。
・前記ニッケル・ダマスカス鋼板２０に代えて、前記刃芯鋼板２１の左右両表面に対し、銅層とステンレス鋼層２３を交互に接合して積層したものや、真鍮層とステンレス鋼層２３を交互に接合して積層したものを用いてもよい。又、前記刃芯鋼板２１の左右両表面に対し、銅層、ステンレス鋼層２３及び真鍮層を交互に接合して積層したものを用いたり、ニッケル層２２、銅層、真鍮層及びステンレス鋼層２３を交互に接合して積層したもを用いたり、種類の異なるステンレス鋼層２３を交互に接合して積層したものを用いたりしてもよい。
【００２２】
・前記ステンレス鋼層２３として、炭素含有量の低い焼の入らない材料（例えばＪＩＳ規格：ＳＵＳ３０３，ＳＵＳ３０４）を用いてもよく、炭素含有量の高い焼入れ可能な材料（例えばＪＩＳ規格：ＳＵＳ４０２Ｊ１，ＳＵＳ４０２Ｊ２）を用いてもよい。
【００２３】
・前記ダマスカス鋼板２０として、柄１１を構成する部分の厚さ寸法が刃部１２を構成する部分の厚さ寸法よりも予め大きく形成したものを用いてもよい。
上記実施形態から把握される請求項以外の技術的思想について以下に説明する。
【００２４】
（１）請求項４において、前記ダマスカス鋼板は、柄を構成する部分が刃部を構成する部分よりも予め肉厚寸法に形成されていることを特徴とする刃物。
上記の刃物は、材料費を低減することができる。
【００２５】
（２）請求項３又は４において、柄の先端寄りの部分には、幅狭部が形成されていることを特徴とする刃物。
上記の刃物は、幅狭部によって縞模様が多様化されて美観を向上することができる。
【図面の簡単な説明】
【００２６】
【図１】この発明の柄を備えた刃物としてのナイフを具体化した一実施形態を示す正面図。
【図２】ナイフの平面図。
【図３】図１の１−１線拡大断面図。
【図４】図１の２−２線拡大断面図。
【図５】図１の３−３線拡大断面図。
【図６】ナイフの素材を示すニッケル・ダマスカス鋼板の一部省略平断面図。
【図７】ナイフの製造方法を示す平断面図。
【図８】この発明の別の実施形態を示すナイフの部分平断面図。
【図９】この発明の別の実施形態を示すナイフの部分平断面図。
【符号の説明】
【００２７】
１１…柄、１２…刃部、２０…ダマスカス鋼板、２１…刃芯鋼板。
【図１】
2007061944.tif 000003
【図２】
2007061944.tif 000004
【図３】
2007061944.tif 000005
【図４】
2007061944.tif 000006
【図５】
2007061944.tif 000007
【図６】
2007061944.tif 000008
【図７】
2007061944.tif 000009
【図８】
2007061944.tif 000010
【図９】
2007061944.tif 000011